【事件の表示】
　特許第２７７２５１１号「墨出し用レーザー装置」の請求項１ないし３に係る特許に対する特許異議の申立てについて、次のとおり決定する。
【結論】
　訂正を認める。
　特許第２７７２５１１号の請求項１に係る特許を維持する。
【理由】
１．手続の経緯
　特許２７７２５１１号の請求項１ないし３に係る発明は、平成７年３月２９日に特許出願され、平成１０年４月２４日に設定登録がなされ、その後特許異議申立人楠本薫より特許異議の申立てがなされ、平成１１年８月２０日（発送日平成１１年９月７日）に取消理由通知がなされ、その指定期間内である平成１１年１１月６日に訂正請求がなされたものである。
２．訂正の適否についての判断
ア．訂正事項
　特許権者が求めている訂正の概要は以下の通りである。
（１）特許請求の範囲を以下のように訂正する。
ａ．特許請求の範囲の減縮または明りょうでない記載の釈明を目的として、請求項１及び２を削除し、請求項３を繰り上げて請求項１とするとともに、訂正前の請求項３において、引用していた請求項１の技術的事項のうちの「さらに前記枢支軸より下方に垂下する支持体には、静止状態において支持体の縦中心線を鉛直平面内の鉛直垂下状態とするためのバランス部材を調節自在に付設し」との記載を、「さらに前記枢支軸より下方に垂下する支持体には、該支持体の鉛直に対するブレを調整して、該鉛直方向のバランスの狂いを修正、固定するためのバランス棒を付設し」と訂正する。
（２）発明の詳細な記載を以下のように訂正する。
ｂ．段落番号【０００８】の「静止状態において支持体の縦中心線を鉛直平面内の鉛直垂下状態とするためのバランス部材を調節自在に付設した構成となっている。」との記載を、「該支持体の鉛直に対するブレを調整して固定するためのバランス棒を付設し、また、水平フレームの下面に、操作体用支持板を固定し、この操作体用支持板の両側壁に、カバー体の胴部の光線放射用スリットからのレーザー光線の通過を妨げない位置へ突出するように操作レバーを設けた二股の支持体用ロック体を回動自在に枢支するとともに、支持体用口ック体の揺動操作によりＯＮ、ＯＦＦ作動するスイッチを設け、また、支持体用ロック体と水平フレームとを、前記支持体用ロック体の枢支軸を境として引っ張り方向が変更される引っ張りバネで連結し、前記操作レバーによるレーザー投射器のスイッチのＯＦＦ操作によって支持体用ロック体で支持体の鉛直平面に沿う揺動をロックするスイッチ操作兼用ロック機構を具備させたことを特徴とするものである。」と訂正する。
ｃ．段落番号【０００９】の「重錘状吊下状態の確保と、・・・側壁に連続する天井面、床面にもレ一ザー光線投射ラインを一挙に投射することができるように作用する。」とあるのを、「支持体の重錘状吊下状態を確保し、枢支軸より下方に垂下され、揺動を短時間で静止できる支持体には、該支持体の鉛直に対するブレを調整して固定するためのバランス棒を付設して、支持体の枢支軸より上方側に、レーザー光線の光軸方向に斜め上向きとしてレーザー投射器を固定したことによって鉛直平面に沿う方向に拡散して放射されて、カバー体の胴部から天部にかけて開設した光線放射用スリットを通して投射されるようになり、該投射壁面に連続する床面、天井面及び前記投射壁面と対向する側壁面の一部にまで及ぶ連続したレーザー光線投射ラインを一挙に形成できるように作用する。」と訂正する。
ｄ．段落番号【００１０】の「なお、請求項２に記載のように、支持体へのバランス部材の付設が、・・・簡単なバランス調節操作によって修正できるようになる。また請求項３に記載のように、」を、「また、」と訂正する。
ｅ．段落番号【００２４】の「重錘状吊下状態の確保と、・・・側壁に連続する天井面、床面にもレーザー光線投射ラインを一挙に投射することができるようになり、」とあるのを、「支持体の重錘状吊下状態を確保し、枢支軸より下方に垂下され、揺動を短時間で静止できる支持体には、該支持体の鉛直に対するブレを調整して固定するためのバランス棒を付設して、支持体の枢支軸より上方側に、レーザー光線の光軸方向に斜め上向きとしてレーザー投射器を固定したことによって鉛直平面に沿う方向に拡散して放射されて、カバー体の胴部から天部にかけて開設した光線放射用スリットを通して投射されるようになり、該投射壁面に連続する床面、天井面及び前記投射壁面と対向する側壁面の一部にまで及ぶ連続したレーザー光線投射ラインを一挙に形成することとなり、」と訂正する。
ｆ．段落番号【００２５】の記載を、削除する。
ｇ．段落番号【００２６】を【００２５】と繰り上げ、該段落番号の「また請求項３に記載のように」を、「また、」と訂正する。
イ．訂正の目的の適否、新規事項の有無及び拡張・変更の存否
　上記訂正事項ａは、特許請求の範囲の減縮または明りょうでない記載の釈明を目的としてなされたものである。そしてその訂正した事項は、願書に添付した明細書の段落番号【００１７】，【００２５】に記載した事項に基づくものであって、新規事項の追加にも該当せず、実質的に特許請求の範囲を拡張又は変更するものでもない。
　上記訂正事項ｂ〜ｇは、上記特許請求の範囲の訂正に伴い、明りょうでない記載の釈明を目的として明細書を訂正するものであり、いずれも願書に添付した明細書に記載した事項に基づく補正であって、新規事項の追加にも該当せず、実質的に特許請求の範囲を拡張又は変更するものでもない。
　なお、上記訂正により平成１１年８月２０日付け取消理由通知により通知した特許法第１７条の２第２項において準用する第１７条第２項の理由は解消している。
ウ．独立特許要件の判断
（１）訂正後の請求項に係る発明は、全文訂正明細書及び図面の記載からみて、その特許請求の範囲の請求項１に記載された次のとおりのものである。
「基盤に立設した支柱で支持された水平フレームの中心部に、レーザー光線の光軸上に中心軸を水平としてロッドレンズを設けたレーザー投射器が支持固定された支持体を、鉛直平面内で重錘状に揺動自在に枢支軸で枢支し、また前記支持体の下端部と前記基盤とに、支持体の鉛直平面に沿う方向の揺動を制動する磁力線を利用した制動手段を設け、レーザー投射器からロッドレンズを通して鉛直平面に沿う方向に放射されるレーザー光線を、カバー体の光線放射用スリットから外部へ放射するようにした墨出し用レーザー装置において、
　前記レーザー投射器を、前記支持体の枢支軸より上方側に、支持体の重錘状吊下状態を確保して、レーザー光線の光軸方向を斜め上向きとして装着固定するとともに、前記光線放射用スリットをカバー体の胴部から天部にかけて、ロッドレンズで拡散されたレーザー光線の放射範囲に対応して開設し、さらに前記枢支軸より下方に垂下する支持体には、該支持体の鉛直に対するブレを調整して、該鉛直方向のバランスの狂いを修正、固定するためのバランス棒を付設し、また、水平フレームの下面に，操作体用支持板を固定し、この操作体用支持板の両側壁に、カバー体の胴部の光線放射用スリットからのレーザー光線の通過を妨げない位置へ突出するように操作レバーを設けた二股の支持体用ロック体を回動自在に枢支するとともに、支持体用ロック体の揺動操作によりＯＮ、ＯＦＦ作動するスイッチを設け、また、支持体用ロック体と水平フレームとを、前記支持体用ロック体の枢支軸を境として引っ張り方向が変更される引っ張りバネで連結し、前記操作レバーによるレーザー投射器のスイッチのＯＦＦ操作によって支持体用ロック体で支持体の鉛直平面に沿う揺動をロックするスイッチ操作兼用ロック機構を具備させたことを特徴とする墨出しレーザー装置。」
（２）上記請求項１に係る発明は、特許法第２９条第２項に係る異議申立てのなされていない請求項３を明瞭でない記載の釈明を目的としてさらに限定したものであるから、特許法第２９条第２項に係る理由は認められず、また訂正請求により特許法第１７条の２第２項において準用する第１７条第２項の理由は解消しているので、訂正後の請求項１に係る発明は、特許出願の際独立して特許を受けることができるものである。
エ．以上のとおりであるから、上記訂正請求は、特許法第１２０条の４第２項及び同条第３項において準用する第１２６条第１項第２項及び同条第３項の規定に適合するので、当該訂正を認める。
３．特許異議の申立てについての判断
ア．本件発明
　請求項１に係る発明は、平成１１年１１月６日付け手続補正書により補正された全文訂正明細書及び図面の記載から、その請求項１に記載された事項により特定されるとおりのものである。
イ．申立ての理由の概要
　特許異議申立人株式楠本薫は、訂正前の請求項１及び２に係る発明は、甲第１号証（特開平６−２９７３５７号公報）、甲第２号証（特開平２−６２９０６号公報）から容易に発明をすることができたものであり、特許法第２９条第２項の規定により、特許を受けることができないものであるから、特許を取り消すべき旨主張するとともに、本件特許は、特許法第１７条の２第２項に規定する要件を満たしていない補正をした特許出願に対してされたものである旨主張している。
ウ．判断
　訂正前の請求項１及び２に係る発明は、訂正の結果削除されたので、異議申立の特許法第２９条第２項の規定に係る対象は存在しない。
　また、訂正により異議申立の特許法第１７条の２の理由は、上記２．イで示したように、解消した。
４．むすび
　したがって、特許異議申立ての理由及び証拠によっては、請求項１に係る特許を取り消すことはできない。
　また、他に請求項１に係る特許を取り消すべき理由を発見しない。
　よって、結論のとおり決定する。
【異議決定日】
平成１２年１月１４日（２０００．１．１４）
【訂正の要旨】
訂正の要旨
（１）特許請求の範囲を以下のように訂正する。
ａ．特許請求の範囲の減縮または明りょうでない記載の釈明を目的として、請求項１及び２を削除し、請求項３を繰り上げて請求項１とするとともに、訂正前の請求項３において、引用していた請求項１の技術的事項のうちの「さらに前記枢支軸より下方に垂下する支持体には、静止状態において支持体の縦中心線を鉛直平面内の鉛直垂下状態とするためのバランス部材を調節自在に付設し」との記載を、「さらに前記枢支軸より下方に垂下する支持体には、該支持体の鉛直に対するブレを調整して、該鉛直方向のバランスの狂いを修正、固定するためのバランス棒を付設し」と訂正する。
（２）発明の詳細な記載を以下のように訂正する。
ｂ．段落番号【０００８】の「静止状態において支持体の縦中心線を鉛直平面内の鉛直垂下状態とするためのバランス部材を調節自在に付設した構成となっている。」との記載を、「該支持体の鉛直に対するブレを調整して固定するためのバランス棒を付設し、また、水平フレームの下面に、操作体用支持板を固定し、この操作体用支持板の両側壁に、カバー体の胴部の光線放射用スリットからのレーザー光線の通過を妨げない位置へ突出するように操作レバーを設けた二股の支持体用ロック体を回動自在に枢支するとともに、支持体用ロック体の揺動操作によりＯＮ、ＯＦＦ作動するスイッチを設け、また、支持体用ロック体と水平フレームとを、前記支持体用ロック体の枢支軸を境として引っ張り方向が変更される引っ張りバネで連結し、前記操作レバーによるレーザー投射器のスイッチのＯＦＦ操作によって支持体用ロック体で支持体の鉛直平面に沿う揺動をロックするスイッチ操作兼用ロック機構を具備させたことを特徴とするものである。」と訂正する。
ｃ．段落番号【０００９】の「重錘状吊下状態の確保と、・・・側壁に連続する天井面、床面にもレ一ザー光線投射ラインを一挙に投射することができるように作用する。」とあるのを、「支持体の重錘状吊下状態を確保し、枢支軸より下方に垂下され、揺動を短時間で静止できる支持体には、該支持体の鉛直に対するブレを調整して固定するためのバランス棒を付設して、支持体の枢支軸より上方側に、レーザー光線の光軸方向に斜め上向きとしてレーザー投射器を固定したことによって鉛直平面に沿う方向に拡散して放射されて、カバー体の胴部から天部にかけて開設した光線放射用スリットを通して投射されるようになり、該投射壁面に連続する床面、天井面及び前記投射壁面と対向する側壁面の一部にまで及ぶ連続したレーザー光線投射ラインを一挙に形成できるように作用する。」と訂正する。
ｄ．段落番号【００１０】の「なお、請求項２に記載のように、支持体へのバランス部材の付設が、・・・簡単なバランス調節操作によって修正できるようになる。また請求項３に記載のように、」を、「また、」と訂正する。
ｅ．段落番号【００２４】の「重錘状吊下状態の確保と、・・・側壁に連続する天井面、床面にもレーザー光線投射ラインを一挙に投射することができるようになり、」とあるのを、「支持体の重錘状吊下状態を確保し、枢支軸より下方に垂下され、揺動を短時間で静止できる支持体には、該支持体の鉛直に対するブレを調整して固定するためのバランス棒を付設して、支持体の枢支軸より上方側に、レーザー光線の光軸方向に斜め上向きとしてレーザー投射器を固定したことによって鉛直平面に沿う方向に拡散して放射されて、カバー体の胴部から天部にかけて開設した光線放射用スリットを通して投射されるようになり、該投射壁面に連続する床面、天井面及び前記投射壁面と対向する側壁面の一部にまで及ぶ連続したレーザー光線投射ラインを一挙に形成することとなり、」と訂正する。
ｆ．段落番号【００２５】の記載を、削除する。
ｇ．段落番号【００２６】を【００２５】と繰り上げ、該段落番号の「また請求項３に記載のように」を、「また、」と訂正する。
（５４）【発明の名称】
墨出し用レーザー装置
（５７）【特許請求の範囲】
　【請求項１】　
基礎に立設した支柱で支持された水平フレームの中心部に、レーザー光線の光軸上に中心軸を水平としてロッドレンズを設けたレーザー投射器が支持固定された支持体を、鉛直平面内で重錘状に揺動自在に枢支軸で枢支し、また前記支持体の下端部と前記基礎とに、支持体の鉛直平面に沿う方向の揺動を制動する磁力線を利用した制動手段を設け、レーザー投射器からロッドレンズを通して鉛直平面に沿う方向に放射されるレーザー光線を、カバー体の光線放射用スリットから外部へ放射するようにした墨出し用レーザー装置において、
　前記レーザー投射器を、前記支持体の枢支軸より上方側に、支持体の重錘状吊下状態を確保して、レーザー光線の光軸方向を斜め上向きとして装着固定するとともに、前記光線放射用スリットをカバー体の胴部から天部にかけて、ロッドレンズで拡散されたレーザー光線の放射範囲に対応して開設し、さらに前記枢支軸より下方に垂下する支持体には、該支持体の鉛直に対するブレを調整して、該鉛直方向のバランスの狂いを修正、固定するためのバランス棒を付設し、また、
【発明の詳細な説明】
　【０００１】
　【産業上の利用分野】
　本発明は、部屋のレイアウトや間仕切り等をする場合の墨出し作業に使用する墨出し用レーザー装置に関するものである。
　【０００２】
　【従来の技術】
　従来のこの種の墨出し用レーザー装置は、レーザー投射器自体を又はレーザー投射器を支持した支持体を、鉛直平面に沿う方向内で重錘状に揺動自在に枢支軸で枢支し、投射されるレーザー光線の光軸上と反射光軸上又は光軸上にロッドレンズをその中心軸を水平として設け、ロッドレンズを通して鉛直平面に沿う方向に放射されるレーザー光線を、直接又はカバー体の光線放射用スリットから外部へ放射するようにした構成を基本としたものであり、実公平４−２２９４３号公報或は特開平６−２９７３５７号公報等に記載されたものが存在する。
　【０００３】
　【発明が解決しようとする課題】
　ところが実公平４−２２９４３号公報記載の墨出しレーザー装置は、レーザー光線をハーフミラー及び三個のロッドレンズで分散させて、天井面、側壁面及び床面に投射ラインを形成することができるが、レーザー投射器が複雑となり、部品点数の増大、組み立ての煩雑さと熟練度の要求等から、製造コストが高くなる点に課題がある。
　【０００４】
　また特開平６−２９７３５７号公報記載の墨出し装置は、前者の装置に比べて構造が単純化されているものの、レーザー投射器を、重錘状に枢支された支持体に光軸方向を上向き傾斜として支持固定し、ロッドレンズを通して放射されるレーザー光線を、カバーの側壁に設けたスリットを通して外部へ投射することから、側壁面全域にわたってレーザー投射による投射ラインが形成されるものの、床面及び天井面には、レーザー光線の一部が、側壁面に投射された投射ラインに連続して形成されるに過ぎない。
　【０００５】
　このため、室内の対向する側壁面、天井面及び床面の四面に、連続したレーザー光線の投射ラインを形成する場合には、二台の装置を背中合わせで使用したり、一旦一方の側壁に投射ラインを形成してその位置を記録した後、装置を垂直軸回りに反転させて、前記記録した投射ラインに一致するように投射ラインを形成して他方の側壁に投射ラインを形成する必要があり、墨出し作業性が非常に悪くなる点に解決すべき課題がある。
　【０００６】
　さらに両者はともに、レーザー投射器部分が常にフリーの状態で重錘状に支持されているために、運搬或は作業のための移動時に、妄りに揺動して枢支部の損傷や、レーザー投射器自体の破損を招く点に共通した課題がある。
　【０００７】
　本発明は、一方の側壁側床面に装置を設置して、レーザー光線を投射することによって、対向する二つの側壁、天井面、床面の四面に、一挙に連続した投射ラインを形成することができる作業性に優れた墨出しレーザー装置を提供することを目的としている。
　【０００８】
　【課題を解決するための手段】
　本発明の墨出しレーザー装置は、基盤に立設した支柱で支持された水平フレームの中心部に、レーザー光線の光軸上に中心軸を水平としてロッドレンズを設けたレーザー投射器が支持固定された支持体を、鉛直平面内で重錘状に揺動自在に枢支軸で枢支し、また前記支持体の下端部と前記基盤とに、支持体の鉛直平面に沿う方向の揺動を制動する磁力線を利用した制動手段を設け、レーザー投射器からロッドレンズを通して鉛直平面に沿う方向に放射されるレーザー光線を、カバー体の光線放射用スリットから外部へ放射するようにした墨出し用レーザー装置において、
　前記レーザー投射器を、前記支持体の枢支軸より上方側に、支持体の重錘状吊下状態を確保して、レーザー光線の光軸方向を斜め上向きとして装着固定するとともに、前記光線放射用スリットをカバー体の胴部から天部にかけて、ロッドレンズで拡散されたレーザー光線の放射範囲に対応して開設し、さらに前記枢支軸より下方に垂下する支持体には、
該支持体の鉛直に対するブレを調整して、該鉛直方向のバランスの狂いを修正、固定しるためのバランス棒を付設し、また、水平フレームの下面に、操作体用支持板を固定し、この操作体用支持板の両側壁に、カバー体の胴部の光線放射用スリットからのレーザー光線の通過を妨げない位置へ突出するように操作レバーを設けた二股の支持体用ロック体を回動自在に枢支するとともに、支持体用ロック体の揺動操作によりＯＮ、ＯＦＦ作動するスイッチを設け、また、支持体用ロック体と水平フレームとを、前記支持体用ロック体の枢支軸を境として引っ張り方向が変更される引っ張りバネで連結し、前記操作レバーによるレーザー投射器のスイッチのＯＦＦ操作によって支持体用ロック体で支持体の鉛直平面に沿う揺動をロックするスイッチ操作兼用ロック機構を具備させたことを特徴とするものである。
　【０００９】
　【作用】
　上記のように構成した本発明に係る墨出しレーザー装置は、
支持体の重錘状吊下状態を確保し、枢支軸より下方に垂下され、揺動を短時間で静止できる支持体には、該支持体の鉛直に対するブレを調整して、該鉛直方向のバランスの狂いを修正、固定するためのバランス棒を付設して、支持体の枢支軸より上方側に、レーザー光線の光軸方向に斜め上向きとしてレーザー投射器を固定したことによって鉛直平面に沿う方向に拡散して放射されて、カバー体の胴部から天部にかけて開設した光線放射用スリットを通じて投射されるようになり、該投射壁面に連続する床面、天井面及び前記投射壁面と対向する側壁面の一部にまで及ぶ連続したレーザー光線投射ラインを一挙に形成できるように作用する。
　【００１０】
　
また、スイッチ操作兼用ロック機構を具備させることによって、
　【００１１】
　【実施例】
　図１は本発明の実施例に係る墨出しレーザー装置Ｒをカバー体を外した状態の正面略図、図２は墨出しレーザー装置Ｒの平面図、図３は墨出しレーザー装置Ｒ全体の一部破断状態側面図、図４はレーザー投射器の分解断面図、図５はレーザー投射器の正面図、図６はスイッチ操作兼用ロック機構部分の拡大正面図、図７はスイッチ操作兼用ロック機構部分の一部を破断して示した側面図、図８は実施例に係る墨出しレーザー装置Ｒを用いた投射ライン形成状態の説明図である。
　【００１２】
　図に示した本発明の実施例に係る墨出しレーザー装置は、底板を兼ねた基盤１にカバー体２が螺子３により脱着自在に被冠され、カバー体２の内部に、レーザー機構部４が内蔵された構成である。
　【００１３】
　図１乃至図３に示すように、前記基盤１の底面には、緩衝用のゴム脚５が固定され、該ゴム脚５を避けた位置に電池交換口６が突出し、電池収納筒７が内部へ貫通立設されている。
　【００１４】
　レーザー機構部４は、後記支持体１０の下端部に垂設した金属製の磁性板１５が間に通る間隔で対峙した磁石体１６を固定して、支持体１０の揺動を短時間で静止させるようにした制動手段が設けられた基盤１と、底面から螺子固定されて立設した二本の支柱８と、この支柱８に固定されたドーナツ形の水平フレーム９と、該水平フレーム９の円形中心に重錘状に垂下する横断面矩形の支持体１０と、該支持体１０の上端部に固定されたレーザー投射器１２と、前記水平フレーム９に取付けたスイッチ操作兼用ロック機構２５とから構成されている。
　【００１５】
　水平フレーム９への支持体１０の支持結合は、その幅方向に貫通固定した枢支軸１１の両端部を、ラジアルベアリングを使用したジャイロジンバル方式の抵抗が極めて少ない軸受手段で行われ、支持体１０が鉛直平面に沿う方向内で揺動自在となるように支持されている。
　【００１６】
　支持体１０には、支持位置より上部となる支持体１０の上端部であって、揺動方向と直交する方向に、レーザー投射器１２を支持固定するための取付凹部１３を形成するとともに、支持位置より下方であって揺動方向（鉛直面方向）と一致する幅方向に水平貫通孔１４を穿設し、下端部には制動用の非磁性板１５が垂設されている。
　【００１７】
　そして取付凹部１３には、レーザー投射器１２が投射方向を斜め上に向けて固定され、前記水平貫通孔１４には、支持体１０の幅よりも長い金属製のバランス棒１７を遊嵌させて、支持体１０の鉛直に対するブレを調整して固定するようになっている。
　【００１８】
　レーザー投射器１２は、図４、図５に示すように外周面先端部寄りにピント調整ネジａと中間部に固定用ネジｂを径方向に貫通させた外套部材１８内に、先端部を円錐台形とし中間部外周にスライド許容細径部を形成し後端部にコリメートレンズ３４を保持させる筒形のレンズホルダー１９と、該レンズホルダー１９の後端を押す圧縮コイルバネ２０と、該圧縮コイルバネ２０の後端に配設されるレーザーダイオード２１とを内蔵し、外套部材１８の先端面に、ロッドレンズ２２を架設固定する板バネ２３をレーザー光線の通過位置にロッドレンズ２２が横たわるように固定したベース３５を取付けた構成とし、ピント調整ネジａの先端をレンズホルダー１９の先端部の円錐台形の斜面に当接し、このピント調整ネジａの緊緩により圧縮コイルバネ２０によってレンズホルダー１９を前後させて調節し、固定ネジｂで設定するようになっている。
　【００１９】
　また、底板を兼ねた基盤１に被冠して螺子３により固定するカバー体２には、前記レーザー投射器１２のロッドレンズ２２を通して鉛直面方向に放射されるレーザー光線を通過させるための光線放射用スリット２４が、胴部から天部にかけて開設されており、基盤１に被冠する場合に、前記光線放射用スリット２４にレーザー投射器１２のレーザー光線放射方向を一致させて固定する。
　【００２０】
　スイッチ操作兼用ロック機構２５は、図１、図３、図６及び図７に示すように、レーザー投射器１２のレーザーダイオード２１への通電の断続と支持体１０を固定化するものであり、支持体１０の揺動方向と直交する方向であって、前記カバー体２の光線放射用スリット２４に対応する水平フレーム９の下面に、逆凹形の操作体用支持板２６を固定し、この操作体用支持板２６の両側壁に、カバー体２の胴部の光線放射用スリット２４からのレーザー光線の通過を妨げない位置へ突出するように操作レバー２７を設けた拡開二股状の支持体用ロック体２８を支軸２９で枢着支持して回動自在とするとともに、支持体用ロック体２８の一側壁に、スイッチレバー３０が水平フレーム９の下面に当たってスイッチがＯＮとなるようにリミットスイッチ３１を固定し、また、前記支持体用ロック体２８の両側壁下端部に、バネ支軸３２を架設して、操作体用支持板２６と支持体用ロック体２８のバネ支軸３２とを、前記支軸２９の中心部を通る垂直線上を思案点として引っ張り方向が変更される引っ張りバネ３３で連結し、前記支持体用ロック体２８の上向動によってリミットスイッチ３１がＯＮ状態となり、下向動によりＯＦＦ状態となると同時に支持体１０を支持体用ロック体２８の二股部で挟み、該支持体１０の鉛直平面に沿う揺動をロックする構成となっており、スイッチＯＦＦ状態での墨出しレーザー装置の運搬、作業現場での移動時の支持体１０を拘束し、機能喪失防止を図っている。
　【００２１】
　なお上記実施例において、電池収納筒７に収容する電池電源とリミットスイッチ３１、レーザーダイオード２１との配線については省略したが、常套回路で配線されるものである。
　【００２２】
　また、光線放射用スリット２４を操作レバー２７の操作穴と兼用しているが、それぞれの穴を個別に開設する場合もある。
　【００２３】
　上記実施例に係る墨出しレーザー装置Ｒは、図８に示すように、一方の側壁Ａの床面Ｂに設置してレーザー光線を投射して、対向する側壁Ｃ、天井面Ｄ、床面Ｂに、一挙に連続した投射ラインＬを形成するように使用される。
　【００２４】
　【発明の効果】
　上記のように構成した本発明に係る墨出しレーザー装置は、
支持体の重錘状吊下状態を確保し、枢支軸より下方に垂直され、揺動を短時間で静止できる支持体には、該支持体の鉛直に対するブレを調整して、該鉛直方向のバランスの狂い修正、固定するためのバランス棒を付設して、支持体の枢支軸より上方側に、レーザー光線の光軸方向に斜め上向きとしてレーザー投射器を固定したことによって鉛直平面に沿う方向に拡散にて放射されて、カバー体の胴部から天部にかけて開設した光線放射用スリットを通じて投射されるようになり、該投射壁面に連続する床面、天井面及び前記投射壁面と対向する側壁面の一部にまで及ぶ連続したレーザー光線投射ラインを一挙に形成することとなり、
　【００２５】
　
また、スイッチ操作兼用のロック機構を具備させることによって、
【図面の簡単な説明】
　【図１】
　本発明の実施例に係る墨出しレーザー装置をカバー体を外した状態の正面略図である。
　【図２】
　本発明の実施例に係る墨出しレーザー装置の平面図である。
　【図３】
　本発明の実施例に係る墨出しレーザー装置全体の一部破断状態側面図である。
　【図４】
　レーザー投射器の分解断面図である。
　【図５】
　レーザー投射器の正面図である。
　【図６】
　スイッチ操作兼用ロック機構部分の詳細正面図である。
　【図７】
　一部を破断して示したスイッチ操作兼用ロック機構部分の側面図である。
　【図８】
　本発明の実施例に係る墨出しレーザー装置を用いた投射ライン形成状態の説明図である。
　【符号の説明】
　１　基盤
　２　カバー体
　３　螺子
　４　レーザー機構部
　５　ゴム脚
　６　電池交換口
　７　電池収納筒
　８　支柱
　９　水平フレーム
　１０　支持体
　１１　枢支軸
　１２　レーザー投射器
　１３　取付凹部
　１４　水平貫通孔
　１５　非磁性板
　１６　磁石体
　１７　バランス棒
　１８　外套部材
　１９　レンズホルダー
　２０　圧縮コイルバネ
　２１　レーザーダイオード
　２２　ロッドレンズ
　２３　板バネ
　２４　光線放射用スリット
　２５　スイッチ操作兼用ロック機構
　２６　操作体用支持板
　２７　操作レバー
　２８　支持体用ロック体
　２９　支軸
　３０　スイッチレバー
　３１　リミットスイッチ
　３２　バネ支軸
　３３　引っ張りバネ
　３４　コリメートレンズ
　３５　ベース